(57)【要約】【課題】ベース音や伴奏和音を奏でる際に不協和音が生じ難くすると共に、演奏時の指の運びをより簡単にすることが可能な平成和音琴を提供する。【解決手段】演奏者側から次の６弦を前後方向へ適宜間隔に設ける。ベース弦合わせ用のテナー弦４Ａ（コードＧ，音程ド）。和音弦合わせ用とベース弦合わせ用のテナー弦４（コードＤ，音程ソ）。和音弦合わせ用のテナー弦５（コードＧ，音程ド）。和音弦合わせ用のテナー弦６（コードＢ，音程ミ）。和音弦合わせ用のテナー弦７（コードＤ，音程ソ）。メロディー弦合わせ用のアルト弦８（コードＧ，音程ド）。該弦を鍵盤キー９で押圧して音階を変えるように設ける。【選択図】  図１
0003136664.tif 000002
【実用新案登録請求の範囲】
【請求項１】
和音琴本体の上面に、左右方向へ適宜間隔に配置されたフレット及び駒を設け、該フレット及び駒の上側に複数本の弦を前後方向へ適宜間隔に設け、各弦の上方に配置された上板に揺動自在に支持された鍵盤キーから各弦に直接接触する金属アームを延長し、該金属アームの弦接触面に、断面逆Ｖ字形状の溝状を成した固定凹部を形成し、該固定凹部で弦を押圧固定するように設けた平成和音琴において、演奏者側から、ベース弦合わせ用のテナー弦（コードＧ，音程ド）と、和音弦合わせ用とベース弦合わせ用のテナー弦（コードＤ，音程ソ）と、和音弦合わせ用のテナー弦（コードＧ，音程ド）と、和音弦合わせ用のテナー弦（コードＢ，音程ミ）と、和音弦合わせ用のテナー弦（コードＤ，音程ソ）と、メロディー弦合わせ用のアルト弦（コードＧ，音程ド）と、の６弦を前後方向へ適宜間隔に設け、該弦を鍵盤キーで押圧して音階を変えるように設けたことを特徴とする平成和音琴。
【請求項２】
前記フレット及び駒の上側に、演奏者側から、ベース弦合わせ用のテナー弦（コードＧ，音程ド）と、和音弦合わせ用とベース弦合わせ用のテナー弦（コードＤ，音程ソ）と、和音弦合わせ用のテナー弦（コードＢ，音程ミ）と、和音弦合わせ用のテナー弦（コードＤ，音程ソ）と、メロディー弦合わせ用のアルト弦（コードＧ，音程ド）と、の５弦を前後方向へ適宜間隔に設けた請求項１記載の平成和音琴。
【請求項３】
前記フレット及び駒の上側に、演奏者側から、和音弦合わせ用のテナー弦（コードＧ，音程ド）と、和音弦合わせ用のテナー弦（コードＤ，音程ソ）と、和音弦合わせ用のテナー弦（コードＢ，音程ミ）と、メロディー弦合わせ用のアルト弦（コードＧ，音程ド）と、の４弦を前後方向へ適宜間隔に設けた請求項１記載の平成和音琴。
【請求項４】
前記フレット及び駒の上側に、演奏者側から、メロディー弦合わせ用のテナー弦（コードＧ，音程ド）と、メロディー弦合わせ用のテナー弦（コードＤ，音程ソ）と、メロディー弦合わせ用のアルト弦（コードＧ，音程ド）と、の３弦を前後方向へ適宜間隔に設けた請求項１記載の平成和音琴。
【考案の詳細な説明】
【技術分野】
【０００１】
本考案は、大正琴から進化した平成和音琴の更に改良に関するものである。
【背景技術】
【０００２】
従来の大正琴は、和音琴本体の上面に左右方向へ適宜間隔に配置されたフレット及び駒の上側に、メロディー弦合わせ用の３本のソプラノ弦（コードＧ，音程ソ）と、同じくメロディー弦合わせ用で前記各ソプラノ弦（コードＧ，音程ソ）より１オクターブ低い１本のアルト弦（コードＧ，音程ソ）とが前後方向へ適宜間隔に設けられていた。そのため、従来の大正琴等は、単調な伴奏や単音のメロディーしか奏でることができなかった。
【０００３】
そこで当考案者は、先に従来の大正琴を改良することで、特許文献１記載の平成和音琴を発明している。この平成和音琴によると、一人で和音を入れながらメロディーが奏でられ、しかも、アルト、テナー、ベース、コードの１台で四役を果たし、音色はギターとハープとを混合させたような素晴らしいハーモニーを出すことが可能になっている。
【０００４】
更に、当考案者は、特許文献１を更に改良することにより、和音と共にメロディーを奏でる際に、金属アームと弦との接触部分に生じるビビリ音を防止することに成功している。
【特許文献１】特許第２７８４７４２号公報
【特許文献２】実用新案登録第３０９５０１５号公報
【考案の開示】
【考案が解決しようとする課題】
【０００５】
特許文献１により、一人で和音を入れながらメロディーを奏でられるようにしたことで、各弦の旋律が、従来の大正琴とは比較にならないほど個性を持った音色に変わるようになった。ところが、複雑な和音と共にメロディーをも奏でられるようにした特許文献１記載の楽器では、各弦がそれぞれ音階や旋律の異なる音色を奏でるので、この種の雑音が僅かに生じた場合でも、耳障りになることがあった。
【０００６】
そこで、特許文献２により、伴奏和音と共にメロディーを奏でる際に、金属アームと弦との接触部分に生じるビビリ音を防止することに成功したが、今度は、演奏時の指運びに課題が生じることになった。すなわち、ベース音や伴奏和音を奏でる際に不協和音が生じ易く、しかも、演奏時の指の運びが難しくなっていた。
【０００７】
そこで、本考案は上述の課題を解消すべく更に改良を加えたもので、ベース音や伴奏和音を奏でる際に不協和音の発生を極力少なくすると共に、演奏時の指の運びをより簡単にすることで、上級者から初心者に至るまで演奏が容易になる平成和音琴の提供を目的とするものである。
【課題を解決するための手段】
【０００８】
そこで本考案は上述の課題を解消すべく案出されたもので、第１の手段は、和音琴本体１の上面に、左右方向へ適宜間隔に配置されたフレット２及び駒３を設け、該フレット２及び駒３の上側に複数本の弦を前後方向へ適宜間隔に設け、各弦の上方に配置された上板１０に揺動自在に支持された鍵盤キー９から各弦に直接接触する金属アーム１１を延長し、該金属アーム１１の弦接触面に、断面逆Ｖ字形状の溝状を成した固定凹部を形成し、該固定凹部で弦を押圧固定するように設けた平成和音琴において、演奏者側から、ベース弦合わせ用のテナー弦４Ａ（コードＧ，音程ド）と、和音弦合わせ用とベース弦合わせ用のテナー弦４（コードＤ，音程ソ）と、和音弦合わせ用のテナー弦５〈コードＧ，音程ド）と、和音弦合わせ用のテナー弦６（コードＢ，音程ミ）と、和音弦合わせ用のテナー弦７（コードＤ，音程ソ）と、メロディー弦合わせ用のアルト弦８（コードＧ，音程ド）と、の６弦を前後方向へ適宜間隔に設け、該弦を鍵盤キー９で押圧して音階を変えるように設けたことにある。
【０００９】
第２の手段は、前記フレット２及び駒３の上側に、演奏者側から、ベース弦合わせ用のテナー弦４（コードＧ，音程ド）と、和音弦合わせ用とベース弦合わせ用のテナー弦５（コードＤ，音程ソ）と、和音弦合わせ用のテナー弦６（コードＢ，音程ミ）と、和音弦合わせ用のテナー弦７（コードＤ，音程ソ）と、メロディー弦合わせ用のアルト弦８（コードＧ，音程ド）と、の５弦を前後方向へ適宜間隔に設けている。
【００１０】
第３の手段は、前記フレット２及び駒３の上側に、演奏者側から、和音弦合わせ用のテナー弦５（コードＧ，音程ド）と、和音弦合わせ用のテナー弦６（コードＤ，音程ソ）と、和音弦合わせ用のテナー弦７（コードＢ，音程ミ）と、メロディー弦合わせ用のアルト弦８（コードＧ，音程ド）と、の４弦を前後方向へ適宜間隔に設ける。
【００１１】
第４の手段は、前記フレット２及び駒３の上側に、演奏者側から、メロディー弦合わせ用のテナー弦６（コードＧ，音程ド）と、メロディー弦合わせ用のテナー弦７（コードＤ，音程ソ）と、メロディー弦合わせ用のアルト弦８（コードＧ，音程ド）と、の３弦を前後方向へ適宜間隔に設けたことを課題解消のための手段とする。
【考案の効果】
【００１２】
本考案の請求項１により、金属アーム１１の弦接触面に、断面逆Ｖ字形状の溝状を成した固定凹部を形成し、該固定凹部で弦を押圧固定するように設けた平成和音琴において、演奏者側から、ベース弦合わせ用のテナー弦（コードＧ，音程ド）と、和音弦合わせ用とベース弦合わせ用のテナー弦（コードＤ，音程ソ）と、和音弦合わせ用のテナー弦（コードＧ，音程ド）と、和音弦合わせ用のテナー弦（コードＢ，音程ミ）と、和音弦合わせ用のテナー弦（コードＤ，音程ソ）と、メロディー弦合わせ用のアルト弦（コードＧ，音程ド）と、の６弦を前後方向へ適宜間隔に設け、該弦を鍵盤キー９で押圧して音階を変えるように設けたことで、特に、ベース音や伴奏和音を奏でる際に不協和音が生じ難くなった。また、従来のものに比べて演奏時の指の運びをより簡単にすることも可能である。この結果、特に上級者にとって、より複雑な曲を思い通りに演奏することが可能になった。
【００１３】
また、請求項２により、前記フレット２及び駒３の上側に、演奏者側から、ベース弦合わせ用のテナー弦（コードＧ，音程ド）と、和音弦合わせ用とベース弦合わせ用のテナー弦（コードＤ，音程ソ）と、和音弦合わせ用のテナー弦（コードＢ，音程ミ）と、和音弦合わせ用のテナー弦（コードＤ，音程ソ）と、メロディー弦合わせ用のアルト弦（コードＧ，音程ド）と、の５弦を前後方向へ適宜間隔に設けたことで、ベース音や和音、あるいはメロディー音をより簡単な操作で演奏することができる。
【００１４】
更に、請求項３により、前記フレット２及び駒３の上側に、演奏者側から、和音弦合わせ用のテナー弦（コードＧ，音程ド）と、和音弦合わせ用のテナー弦（コードＤ，音程ソ）と、和音弦合わせ用のテナー弦（コードＢ，音程ミ）と、メロディー弦合わせ用のアルト弦（コードＧ，音程ド）と、の４弦を前後方向へ適宜間隔に設けているので、演奏時の指の運びをより簡単にすることができる。したがって、中級者や初級者が、主に伴奏用の楽器として使用することができる。
【００１５】
そして、請求項４によると、前記フレット２及び駒３の上側に、演奏者側から、メロディー弦合わせ用のテナー弦（コードＧ，音程ド）と、メロディー弦合わせ用のテナー弦（コードＤ，音程ソ）と、メロディー弦合わせ用のアルト弦（コードＧ，音程ド）と、の３弦を前後方向へ適宜間隔に設けているので、演奏時の指の運びを極めて簡単にすることができる。この結果、特に、初級者がメロディーのみを奏でる際に好適な楽器として使用することができるものである。
【００１６】
このように、本考案によると、伴奏和音を奏でる際に不協和音が生じ難くすると共に、演奏時の指の運びをより簡単にすることが可能になるなどといった有益な効果を奏するものである。
【考案を実施するための最良の形態】
【００１７】
本考案の最良の形態は、和音琴本体１の上面に、左右方向へ適宜間隔に配置されたフレット２及び駒３を設け、該フレット２及び駒３の上側に複数本の弦を前後方向へ適宜間隔に設け、各弦の上方に配置された上板１０に揺動自在に支持された鍵盤キー９から各弦に直接接触する金属アーム１１を延長し、該金属アーム１１の弦接触面に、断面逆Ｖ字形状の溝状を成した固定凹部を形成し、該固定凹部で弦を押圧固定するように設けた平成和音琴において、演奏者側から、ベース弦合わせ用のテナー弦（コードＧ，音程ド）と、和音弦合わせ用とベース弦合わせ用のテナー弦（コードＤ，音程ソ）と、和音弦合わせ用のテナー弦（コードＧ，音程ド）と、和音弦合わせ用のテナー弦（コードＢ，音程ミ）と、和音弦合わせ用のテナー弦（コードＤ，音程ソ）と、メロディー弦合わせ用のアルト弦（コードＧ，音程ド）と、の６弦を前後方向へ適宜間隔に設け、該弦を鍵盤キー９で押圧して音階を変えるように設けることで当初の目的を達成するものである。
【実施例】
【００１８】
以下、本考案の実施の形態を図面に基づいて説明する。本考案は、和音琴本体１の上面に左右方向へ適宜間隔に配置されたフレット２及び駒３の上側に、６本乃至３本の弦を前後方向へ適宜間隔に設けたものである（図１参照）。
【００１９】
図１乃至図４に示す実施例では、６本の弦を配置した楽器を示している。すなわち、
演奏者側から、ベース弦合わせ用のテナー弦（コードＧ，音程ド）と、和音弦合わせ用とベース弦合わせ用のテナー弦（コードＤ，音程ソ）と、和音弦合わせ用のテナー弦（コードＧ，音程ド）と、和音弦合わせ用のテナー弦（コードＢ，音程ミ）と、和音弦合わせ用のテナー弦（コードＤ，音程ソ）と、メロディー弦合わせ用の高いアルト弦（コードＧ，音程ド）と、の６弦を使用している。
【００２０】
このように６弦を使用した楽器では、音階によって、ベース弦合わせ用のテナー弦４Ａ（コードＧ，音程ド）と、和音弦合わせ用とベース弦合わせ用のテナー弦４〈コードＤ，音程ソ）とを、ベース弦合わせ用のテナー弦４Ａ（コードＤ，音程ソ）と、和音弦合わせ用とベース弦合わせ用のテナー弦４（コードＧ，音程ド）とに変更しても良い。また、短調を奏でる場合は、和音弦合わせ用のアルト弦６（コードＢ，音程ミ）のコードをＡ♯に変更して演奏する。更に、これら６弦の調律を、演奏する曲に合わせて任意に変更することも可能である（表１参照）。
【表１】
0003136664.tif 000003
【００２１】
表１は、６弦タイプから３弦タイプの実施例で用いる調律を示している。すなわち、６弦の中からベース弦合わせ用のテナー弦４Ａを省略して５弦タイプにすることも可能である。この場合、表１に示す如く、演奏者側から、ベース弦合わせ用のテナー弦４（コードＧ，音程ド）と、和音弦合わせ用とベース弦合わせ用のテナー弦５（コードＤ，音程ソ）と、和音弦合わせ用のテナー弦６（コードＢ，音程ミ）と、和音弦合わせ用のテナー弦７（コードＤ，音程ソ）と、メロディー弦合わせ用のアルト弦８（コードＧ，音程ド）と、の５弦を使用する。この５弦タイプの楽器においても、短調を奏でる場合は、和音弦合わせ用のアルト弦（コードＢ，音程ミ）６のコードをＡ♯に変更して演奏する。
【００２２】
また、これら５弦タイプの調律は、演奏者側から、ベース弦合わせ用のテナー弦４（コードＧ，音程ド）と、和音弦合わせ用とベース弦合わせ用のテナー弦５（コードＤ，音程ソ）と、和音弦合わせ用のテナー弦６（コードＧ，音程ド）と、和音弦合わせ用のテナー弦７（コードＢ，音程ミ）と、メロディー弦合わせ用のアルト弦８（コードＧ，音程ド）とに変更してもよい。この場合も、短調を奏でる場合は、和音弦合わせ用のアルト弦（コードＢ，音程ミ）６のコードをＡ♯に変更して演奏する。また、演奏する曲に合わせて他の変更も可能である。
【００２３】
一方、表１では４本タイプの実施例の調律も示している。この実施例では、演奏者側から、和音弦合わせ用のテナー弦５（コードＧ，音程ド）と、和音弦合わせ用のテナー弦６（コードＤ，音程ソ）と、和音弦合わせ用のテナー弦７（コードＢ，音程ミ）と、メロディー弦合わせ用のアルト弦８（コードＧ，音程ド）と、の４弦を使用している。この４弦タイプの楽器においても、短調を奏でる場合は、和音弦合わせ用のアルト弦６（コードＢ，音程ミ）のコードをＡ♯に変更して演奏する。また、これら４弦の調律を、演奏する曲に合わせて変更することも可能である。
【００２４】
更に、図８に示す実施例は、３本の弦を配置した楽器を示している。この実施例では、演奏者側から、メロディー弦合わせ用のテナー弦６（コードＧ，音程ド）と、メロディー弦合わせ用のテナー弦７（コードＤ，音程ソ）と、メロディー弦合わせ用のアルト弦８（コードＧ，音程ド）と、の３弦を使用している。また、これら３弦の調律を、演奏する曲に合わせて変更することも可能である。
【００２５】
各弦の材質はいずれも金属弦を使用するもので、テナー弦４Ａ、４、５、６、７には太巻線を用い、アルト弦８には鋼鉄線を用いるものである。
【００２６】
図中の符号９は鍵盤キーであり、上板１０に揺動自在に支持され、前記テナー弦４Ａ、４、５、６、７、アルト弦８等を押圧する。この鍵盤キー９から各弦に直接接触する金属アーム１１を延長している（図４参照）。また、前記テナー弦４Ａ、４、５を順次外すことで、５弦タイプ乃至３弦タイプに変更することができる（表１参照）。
【００２７】
この金属アーム１１の弦接触面に固定凹部１１Ａを形成し、該固定凹部１１Ａで各弦を押圧固定する（図５参照）。この固定凹部１１Ａは、各弦の直径に合わせた断面逆Ｖ字形状の溝状を成し、各弦の上面左右に同時に接触するように設けてある。このような固定凹部１１Ａによると、各弦を上方から押圧する際に確実に固定することが可能になる。
【００２８】
尚、符号１２は指盤であり、符号１３は各弦の音を電流に変えるマイクであり、符号１４はこのマイク１３からの電流を増幅するアンプに接続するジャック、符号１５，１６は夫々トーン、ボリュームである。
【図面の簡単な説明】
【００２９】
【図１】本考案の一実施例を示す平面図である。
【図２】本考案の一実施例を示す正面図である。
【図３】図２で示す矢視Ａ−Ａ線断面図である。
【図４】本考案の金属アームを示す側面図である。
【図５】本考案の固定凹部を示す一部拡大断面図である。
【符号の説明】
【００３０】
１ 和音琴本体
２ フレット
３ 駒
４Ａ テナー弦
４ テナー弦
５ テナー弦
６ テナー弦
７ テナー弦
８ アルト弦
９ 鍵盤キー
１０ 上板
１１ 金属アーム
１１Ａ 固定凹部
１２ 指盤
１３ マイク
１４ ジャック
１５ トーン
１６ ボリューム
【図１】
0003136664.tif 000004
【図２】
0003136664.tif 000005
【図３】
0003136664.tif 000006
【図４】
0003136664.tif 000007
【図５】
0003136664.tif 000008